(57)【要約】【課題】  従来の収納ラックは、所定形状と異なる形状をした収納物を収納することができなかった。【解決手段】  バネ材が巻かれて形成されて外力が加わっていない状態ではバネ材の収縮力によって縮んでいる、収縮力によって収納物４を挿抜自在に挟持する引張コイルバネ２と、引張コイルバネ２の両端部に固定されて引張コイルバネ２の両側部で引張コイルバネ２を挟んで対向する一対の側板３とから、収納ラック１を構成する。引張コイルバネ２の隣接するバネ材間を収納物４の厚さに応じた間隔に広げ、収納物４を挿入することにより、バネ材の収縮力によって引張コイルバネ２が縮み、隣接するバネ材間に収納物４が挟持されて収納される。従って、収納物４の寸法に依存することなく納まりよく収納物４を収納することができ、形状が異なる収納物を１つの収納ラック１に同時に収納できる。【選択図】  図３
2011217942.tif 000002
【特許請求の範囲】
【請求項１】
バネ材が巻かれて形成されて外力が加わっていない状態ではバネ材の収縮力によって縮んでいる、前記収縮力によって収納物を挿抜自在に挟持する引張バネと、
前記引張バネの両端部に固定されて前記引張バネの両側部で前記引張バネを挟んで対向する一対の側板とから構成される収納ラック。
【請求項２】
前記引張バネは、隣接するバネ材間に収納物を挿抜自在に挟持することを特徴とする請求項１に記載の収納ラック。
【請求項３】
前記引張バネは、収納物の重量に応じてバネ定数が設定されることを特徴とする請求項１または請求項２に記載の収納ラック。
【請求項４】
前記引張バネは、バネ材の表面が樹脂で被覆されていることを特徴とする請求項１から請求項３のいずれか１項に記載の収納ラック。
【発明の詳細な説明】
【技術分野】
【０００１】
本発明は、挿抜自在に収納物を収納する収納ラックに関する。
【背景技術】
【０００２】
従来、この種の収納ラックとしては、例えば、特許文献１に開示されているＣＤラックがある。このＣＤラックのラック本体は底板部および背板部から構成され、底板部および背板部にはゴム板部材が設けられている。各ゴム板部材には、ＣＤをＣＤラックに縦向きに保持する挟持溝が所定間隔で形成されている。ＣＤは挟持溝に押し込まれることによってＣＤの周縁部が挟持溝に挟持され、ＣＤラックに収納される。
【先行技術文献】
【特許文献】
【０００３】
【特許文献１】特開２００５−４６５０５号公報
【発明の概要】
【発明が解決しようとする課題】
【０００４】
しかしながら、上記従来のＣＤラックのような収納ラックは、所定間隔に設けられた挟持溝のような仕切りに収納物を収納するため、所定形状を有する収納物しか収納することができず、所定形状と異なる形状をした収納物を収納することはできなかった。また、上記従来のＣＤラックのような収納ラックは、収納する収納物数が少ない場合、未使用の仕切りがそのまま残ってしまい、無駄なスペースが生じていた。また、収納物同士の間を仕切る仕切りを持たない従来の収納ラックは、収納時における収納物の安定性に欠け、収納物が遊動してしまう。このため、地震が来た際、収納物が外れ、壊れることがある。
【課題を解決するための手段】
【０００５】
本発明はこのような課題を解決するためになされたもので、
バネ材が巻かれて形成されて外力が加わっていない状態ではバネ材の収縮力によって縮んでいる、収縮力によって収納物を挿抜自在に挟持する引張バネと、
引張バネの両端部に固定されて引張バネの両側部で引張バネを挟んで対向する一対の側板とから、収納ラックを構成した。
【０００６】
本構成によれば、引張バネを収納物の厚さに応じた間隔に広げ、広げた収納ラックに収納物を挿入して、バネ材の収縮力によって引張バネが縮むことにより、収納物が挟持されて収納ラックに収納される。従って、収納物の厚さ寸法に依存することなく納まりよく収納物を収納することができ、正面から見た形状はほぼ同じで厚さ寸法が異なる収納物、例えば、ＣＤ（Compact Disc）や、ＭＤ（Mini Disc）、葉書などを１つの収納ラックに同時に収納することができる。また、収納物を収納していない部分の引張バネは、バネ材の収縮力によって縮んでいるため、収納物の収納量が少ないときに未収納部分の収納ラックは無駄なスペースを占めなくなる。また、収納物は、引張バネの収縮力によって挟持されることで遊動することなく収納され、収納時における収納物の安定性が確保される。従って、収納物を収納した収納ラックを、収納物を落下させることなく容易に運搬することもできる。
【０００７】
また、本発明は、引張バネが、隣接するバネ材間に収納物を挿抜自在に挟持することを特徴とする。
【０００８】
本構成によれば、引張バネの隣接するバネ材間を収納物の厚さに応じた間隔に広げ、広げたバネ材間に収納物を挿入して、バネ材の収縮力によって引張バネが縮むことにより、隣接するバネ材間に収納物が挟持されて収納ラックに収納される。
【０００９】
また、本発明は、引張バネが、収納物の重量に応じてバネ定数が設定されることを特徴とする。
【００１０】
本構成によれば、金属やプラスチックといったバネ材の材料や、線径、巻き径などが選択されることで、引張バネのバネ定数は、収納される収納物の重量に応じて設定される。このため、引張バネは、収納される収納物に最適な収縮力を発揮して、収納物を挟持する。従って、収納物に応じて引張バネのバネ定数を設定することにより、需要者の多様なニーズに応じた収納ラックを提供することができる。
【００１１】
また、本発明によれば、傷つきやすい収納物を収納する場合、バネ材の表面を樹脂等の軟質材で被覆すれば、収納物に傷が付くのを防ぐことができる。
【発明の効果】
【００１２】
本発明によれば、上記のように、収納物の厚さ寸法に依存することなく納まりよく収納物を収納することができ、正面から見た形状はほぼ同じ収納物を１つの収納ラックに同時に収納することができる。また、収納物を収納していない部分の引張バネは、バネ材の収縮力によって縮んでいるため、収納物の収納量が少ないときに未収納部分の収納ラックは無駄なスペースを占めなくなる。また、収納物は、引張バネの収縮力によって挟持されることで遊動することなく収納され、安定した状態で収納できるので、地震対策としても有効である。
【図面の簡単な説明】
【００１３】
【図１】本発明の一実施形態による収納ラックの外観斜視図である。
【図２】収納物と図１に示す収納ラックの引張バネを伸長させた際の外観斜視図である。
【図３】図１に示す収納ラックに収納物を収納した際の外観斜視図である。
【図４】図１に示す収納ラックの側板の変形例を示した外観斜視図である。
【図５】図４に示す収納ラックの側板の他の変形例を示した外観斜視図である。
【図６】図１および図４に示す各収納ラックの一方の側板を固定させた際の一部側面図である。
【図７】（ａ）は図１に示す収納ラックの変形例を示した側面図であり、（ｂ）は（ａ）の収納ラックをｘ−ｘ線に沿って破断して矢視方向から見た正面図である。
【発明を実施するための形態】
【００１４】
次に、本発明による収納ラックの一実施の形態について説明する。
【００１５】
図１は、この一実施の形態による収納ラック１の外観斜視図である。
【００１６】
収納ラック１は、引張コイルバネ２と、一対の側板３とから構成されている。引張コイルバネ２は、鋼線などのバネ材がコイル状に巻かれて形成され、外力が加わっていない状態ではバネ材の収縮力によって図示するように縮んでいる。また、引張コイルバネ２は、収納物が長方形状の場合、コイルの巻きの直径がその収納物の短辺よりも小さな値に設定される。また、収納物が傷つかないように、引張コイルバネ２は、バネ材の表面がプラスチックなどで被覆されることもある。このプラスチックの材質としては、軟らかくて耐久性に優れた軟質塩化ビニル樹脂などが好ましい。側板３は、スチール鋼板などで図示するような長方形の板状に形成され、引張コイルバネ２の両端部に固定されて、引張コイルバネ２の両側部で引張コイルバネ２を挟んで対向するように設けられている。
【００１７】
図２は、図１に示す収納ラック１の引張コイルバネ２を伸長させた際の外観斜視図である。
【００１８】
収納ラック１への収納物４の収納は、一対の側板３を相互が離れる外方に引っ張り、引張コイルバネ２を図示するように伸長させて、隣接するバネ材間の間隔を広げ、広げたバネ材間に収納物４を挿入することで行われる。収納物４を挿入した後、側板３を外方に引っ張っている力を緩めて引張コイルバネ２をその収縮力によって収縮させることで、引張コイルバネ２は、図３に示すようにバネ材間に収納物４を挟持し、収納物４は収納ラック１に収納される。この際、収納物４を収納していない図の右方部分の引張コイルバネ２は、バネ材の収縮力によって図示するように縮んだ状態になる。収納ラック１に収納された収納物４は、引張コイルバネ２のバネ材間から引き抜かれることによって取り出される。取り出された後の引張コイルバネ２のバネ材間は、バネ材の収縮力によって縮む。このように引張コイルバネ２は、その収縮力によって隣接するバネ材間に収納物４を挿抜自在に挟持する。
【００１９】
引張コイルバネ２のバネ定数は、隣接するバネ材間に挿入される収納物４の重量に応じて、金属や樹脂といったバネ材の材料や、線径、コイル巻き径などが選択されることで、所望の値に設定される。例えば、重い収納物４を挟持する場合には弾性係数の大きな鋼線などの金属材料あるいは炭素繊維やガラス繊維強化プラスチックなどの複合材料が、軽い収納物４を挟持する場合にはクリープの小さなポリカーボネートやポリアセタールといった樹脂材料、あるいは炭素繊維やガラス繊維強化プラスチックなどの複合材料が選択され、バネ定数が設定される。
【００２０】
このような本実施形態による収納ラック１によれば、上記のように、引張コイルバネ２の隣接するバネ材間を収納物４の厚さに応じた間隔に図２に示すように広げ、広げたバネ材間に収納物４を挿入して、バネ材の収縮力によって引張コイルバネ２が縮むことにより、隣接するバネ材間に収納物４が図３に示すように挟持されて収納される。従って、収納物４の厚さ寸法に依存することなく納まりよく収納物４を収納することができ、正面から見た形状はほぼ同じで厚さ形状が異なる収納物４、例えば、ＣＤや、ＭＤ、葉書などを１つの収納ラック１に同時に収納することができる。また、収納物４を収納していない部分の引張コイルバネ２は、バネ材の収縮力によって図３に示すように縮んでいるため、収納物４の収納量が少ないときに未収納部分の収納ラック１は無駄なスペースを占めなくなる。また、収納物４は、仕切りの役目を果す隣接するバネ材間に挟持されることで、引張コイルバネ２の収縮力によって遊動することなく収納され、収納時における収納物４の安定性が確保される。
【００２１】
また、本実施形態による収納ラック１によれば、上記のように、引張コイルバネ２のバネ定数は、隣接するバネ材間に挿入される収納物４の重量に応じて、金属や樹脂といったバネ材の材料や、線径、コイル巻き径などが適切に選択される。このため、引張コイルバネ２は、隣接するバネ材間に収納される収納物４に最適な収縮力を発揮して、収納物４を挟持する。従って、収納物４に応じて引張コイルバネ２のバネ定数を設定することにより、需要者の多様なニーズに応じた収納ラック１を提供することができる。また、引張コイルバネ２は、伸びと荷重との関係が十分に線形に保たれ、加わる応力が十分に小さな領域で使用することにより、長く使えて、収納ラック１の製品寿命を延ばすことができる。
【００２２】
また、本実施形態による収納ラック１によれば、引張コイルバネ２が、バネ材の表面が樹脂で被覆することができるので、鋼線などからなる金属製のバネ材間に傷つきやすい収納物４を図３に示すように挟持させても、隣接するバネ材間に挿抜される収納物４に傷が付くのを防ぐことができると共に、バネ材に錆が発生することも防止することができる。
【００２３】
また、バネ材の表面をラバーなどの摩擦係数の大きい素材で被覆することにより、引張コイルバネ２の収縮力に加えて摩擦力も加わった状態で収納物４がバネ材間に挟持される。このため、収納ラック１をブックスタンドとして用いる場合、従来のブックスタンドのように取出し方向にずれる力が加わっても、収納した本などの収納物が取出し方向にずれたり滑り落ちたりする虞がなくなる。
【００２４】
また、本実施形態による収納ラック１は、本を広げるように、一対の側板３の一方を支点として他方を外方に回動させると、引張コイルバネ２が折れ曲がってバネ材間に隙間が生じる。収納物４が例えば不織布ケースに入れた光学式読取記録媒体である場合、この隙間から、記録媒体のレーベル面を参照することができる。従って、本実施形態による収納ラック１によれば、収納ラック１から収納物４を取り出すことなく収納物４を確認することができる。
【００２５】
また、引張コイルバネ２を着磁しにくいバネ材で形成すると共に、側板３を鋼板ではなく非磁性の１８−８ステンレスや木材等で形成することにより、磁気ディスクや磁気テープなどの磁気を有する収納物４を収納することができる。従って、収納物４の性質に応じて引張コイルバネ２や側板３の材質を設定することによっても、需要者の多様なニーズに応じた収納ラック１を提供することができる。
【００２６】
また、樹脂材料で形成された引張コイルバネ２を用いる場合、樹脂材料に色素を混入して引張コイルバネ２を製造することにより、引張コイルバネ２の表面に塗膜を形成して着色した場合に比べ、磨耗により塗料が剥げ落ちる虞のないカラーバリエーション豊富な収納ラック１を提供することができる。
【００２７】
なお、上記実施形態による収納ラック１は、側板３の形状を四角形としたが、三角形や円形といった他の形状にしてもよい。例えば、側板３が三角形の形状であれば、四角形と同様に平面上に自立させることができる。また、側板３が円形の形状であれば、収納ラック１を転がして運ぶことができる。
【００２８】
また、上記実施形態による収納ラック１において、側板３に代えて図４に示す側板１３を用いて収納ラック１１を構成してもよい。同図（ａ）は、収納物を収納していない収納ラック１１の外観斜視図であり、同図（ｂ）は引張コイルバネ２を伸長させた状態を示している。なお、同図において図１および図２と同一部分には同一の符号を付し、その説明は省略する。
【００２９】
収納ラック１１は、引張コイルバネ２の両側部に一対の側板１３を備えて構成されている。側板１３は、上記実施形態における収納ラック１の側板３と同じ材質で形成されており、一端部がＬ字型に折り曲げられて形成された折曲部１３ａを有している。この折曲部１３ａは、外力が加わっていないときの引張コイルバネ２の自然長と同じ長さに折り曲げられている。従って、同図（ａ）に示すように、収納物が収納されずに引張コイルバネ２が最も縮んだ状態において、折曲部１３ａは重なり合い、収納ラック１１はコンパクトな大きさになる。この構成によれば、折曲部１３ａによって側板１３に自立性が与えられるため、図１に示す収納ラック１に比べて、収納ラック１１を安定して垂直に自立させることができる。さらに、収納ラック１１に収納物が収納された場合には、収納物の重量によって側板１３の垂直自立状態が保たれる。
【００３０】
また、側板１３に強度の確保が必要とされる場合には、例えば、図５に示すように、側板１３の側端に、側板１３と同じ材質等で形成されている三角形状の補強板１３ｂを備えて、側板２３を構成してもよい。この構成によれば、側板２３の側端が補強板１３ｂによって補強されるため、図４に示す側板１３に比べて強度の高い側板２３が提供される。このため、重い重量の収納物を収納しても、側板２３が曲がることはない。
【００３１】
図６は、図１および図４に示す各収納ラック１，１１の一方の側板３，１３を固定させた際の一部側面図である。なお、同図において図１および図４と同一部分には同一の符号を付し、その説明は省略する。
【００３２】
各収納ラック１，１１に収納物４を収納させる際、使用者は、片手で一方の側板３，１３を掴み、他方の手で収納物４を持つことになるため、各収納ラック１，１１は、図６（ａ），（ｂ）に示すように、他方の側板３，１３が固定壁Ｓに固定される。この状態で、引張コイルバネ２の収縮力に抗して一方の側板３，１３を引っ張ることにより、引張コイルバネ２の隣接するバネ材間を収納物の厚さに応じた間隔に広げ、この広げたバネ材間に他方の手で持つ収納物４を挿入することで、隣接するバネ材間に収納物４が収納される。この際、一方の手で掴む側板３，１３に取っ手を取り付けるのが好ましい。
【００３３】
また、同図に示すような固定壁Ｓがない場合には、他方の側板３，１３をネジや釘、接着剤などで任意の壁面に固定することで、収納物４は上述したように収納ラック１，１１に収納される。この際、図５に示す側板２３を用いた収納ラック１１を任意の壁面に固定して使用する場合、側板２３は、側端が補強板１３ｂによって補強されているため、設置場所に応じて左右の側板２３を入れ替えて使用することができない。このため、一対の各側板２３には、取っ手の取り付け孔と壁面固定用のネジ挿入孔とを同じ位置に設け、設置場所に応じて取っ手がどちらの側板２３にも付け替えられる構成とする。この構成によれば、所望する左右のいずれか一方の側板２３を壁面に固定し、所望する片方の手で他方の側板２３を掴んで、収納ラック１１に収納物４を収納することができる。
【００３４】
また、上述した各収納ラック１，１１は、引張コイルバネ２の傾きを持つバネ材間に収納物４を挟持するため、収納物４が垂直に挟持されない場合がある。このような場合、例えば、図７に示すように収納ラック３１を構成してもよい。同図（ａ）は収納ラック３１の側面図であり、同図（ｂ）は収納ラック３１をｘ−ｘ線に沿って破断して矢視方向から見た正面図である。
【００３５】
収納ラック３１は、２本の引張コイルバネ３２、一対の側板３３、および複数の挟持板３４から構成されている。挟持板３４は、軟鋼板などで形成され、両側部に引張コイルバネ３２が固定されて、一対の側板３３間に側板３３に対して平行に設けられている。収納物は、収納ラック３１の上方から挟持板３４同士の間、または挟持板３４と側板３３との間に挿入され、引張コイルバネ３２の伸縮力によって挟持されて収納ラック３１に収納される。本構成によれば、バネ材の収縮力によって引張コイルバネ３２が縮んで、収納物が挟持板３４に挟持されることで、収納物が底面に対して垂直に立たされた状態で収納ラック３１に収納される。
【産業上の利用可能性】
【００３６】
本発明による収納ラック１，１１，３１は、本棚として用いる以外にも、食器棚や商品陳列棚として用いることができる。食器棚に用いた場合には、多様な形状をした食器を積み重ねることなく食器棚に収納でき、かつ、食器が積み重ねられていない分、食器棚から食器が取り出し易くなる。また、商品陳列棚に用いた場合には、商品が取り出されると、取り出された後のバネ材間がバネ材の収縮力によって縮むため、隣の次の商品が自動的に取り出し口に陳列させられる。さらに、安定した状態で収納できるので、地震対策としても有効である。また、側板を円形の形状にして、収納ラックを転がせるようにした場合、工場の生産ラインにおいて製造品や部品を傷付けることなく収納できると共に運搬が容易に行える。
【符号の説明】
【００３７】
１，１１，３１…収納ラック
２，３２…引張コイルバネ
３，１３，２３，３３…側板
４…収納物
３４…挟持板
【図１】
2011217942.tif 000003
【図２】
2011217942.tif 000004
【図３】
2011217942.tif 000005
【図４】
2011217942.tif 000006
【図５】
2011217942.tif 000007
【図６】
2011217942.tif 000008
【図７】
2011217942.tif 000009